(57)【特許請求の範囲】
【請求項１】
移動電話（１）を介して駐車を開始しまた終了するとき、電話ユーザは駐車ゾーンを含む地理的区域のための識別データを前記駐車システムに属する第１のコンピュータ（２）に送り、前記第１コンピュータは前記駐車ゾーンを含む前記地理的区域のための前記識別データと前記移動電話（１）の電話番号を検出して記憶する駐車システムにおいて、メモリ（７）に記憶された広告メッセージを送る方法であって、
ユーザが移動電話（１）を介して前記駐車システムの前記第１コンピュータ（２）に接続すると、前記駐車システムの前記第１コンピュータは前記移動電話の電話番号と、対象の駐車ゾーンを含む地理的区域のための識別データを、前記広告メッセージを記憶する前記メモリ（７）に接続された第２のコンピュータ（６）に送り、
前記第２のコンピュータ（６）は前記地理的区域に関する１つまたは複数の広告メッセージを前記移動電話（１）に送り、
これにより前記ユーザが自分の移動電話を前記第１のコンピュータ（２）に接続すると前記地理的区域に関する広告メッセージが前記移動電話（１）に送られることを特徴とする、広告メッセージを送る方法。
【請求項２】
前記第２のコンピュータ（６）が前記電話番号と前記地理的区域のための識別データを受けると、前記第２のコンピュータ（６）は前記１つまたは複数の広告メッセージを前記第１のコンピュータ（２）に送り、また前記第１のコンピュータ（２）は関連する広告メッセージを前記移動電話（１）に送ることを特徴とする、請求項１記載の広告メッセージを送る方法。
【請求項３】
前記第２のコンピュータ（６）が前記電話番号と前記地理的区域のための識別データを受けると、前記第２のコンピュータ（６）は前記１つまたは複数の広告メッセージを前記移動電話（１）に送ることを特徴とする、請求項１記載の広告メッセージを送る方法。
【請求項４】
前記広告メッセージは可聴メッセージであることを特徴とする、請求項１、２、３のどれか記載の広告メッセージを送る方法。
【請求項５】
前記広告メッセージは、前記移動電話（１）のディスプレイ（８）上に表示されるＳＭＳメッセージの形であることを特徴とする、請求項１、２、３のどれか記載の広告メッセージを送る方法。
【発明の詳細な説明】
【０００１】
本発明は移動電話に広告メッセージを送る方法に関する。
より詳しくは、本発明は駐車に関連して用いられる移動電話に広告メッセージを送ることに関する。
【０００２】
スウェーデン特許明細書第９８００８８８−1号は、駐車に関連して移動電話を用いるシステムを開示している。この特許明細書では、電話ユーザが所有するキャッシュ・カードなどのカードのデータを駐車システムは支払い手段として受け入れ、少なくとも１つのユーザ特有の参照を、関連の駐車場運営会社に属するデータベースに記憶しまたは関連付ける。
好ましくは、ユーザ特有の参照の一部は、駐車に関連して用いられる電話の電話番号から成る。駐車システムに属する電話番号に電話が接続すると、駐車システムのコンピュータは電話番号を検出する。
【０００３】
１つの実施の形態では、ユーザ特有の参照はプラスチック・カードまたはこれに相当するデータ・キャリアの中に車両特有の参照を含み、この参照はカードに含まれる機械読取り可能なコードで構成する。もちろん、車両特有の参照はコードではなく車両登録番号を含んでよい。
この実施の形態ではキャッシュ・カードは電話番号に結合しており、電話が駐車システムに接続したときに関連の電話番号を検出することにより、関連のキャッシュ・カードへの課金を確認する。
【０００４】
駐車時間が開始するときに、関連の駐車ゾーンを識別する電話番号を移動電話のユーザがダイヤルすると電話は駐車システムに接続し、前記電話番号が駐車システムのコンピュータにつながり、関連する駐車ゾーンが検出される。
駐車時間の開始を駐車システムに通知したかどうかを確認するチェックを行うため、駐車場従業員が車両の登録番号を読めるように、または前記機械読取り可能なコードを用いるように、システムを設計する。
このようにして、駐車の開始と終了を電話により極めてスムースに通知することができる。
【０００５】
製品またはサービスの広告メッセージに関して起こる、特に広告メッセージを配るときに起こる１つの問題は、そのメッセージを送った相手がそのメッセージを受けたかどうかがはっきり確かめられないことである。
その一例は、レストランやスポーツ店が大都市で新聞に広告を載せた場合である。多くの人がその広告を見たはずであるが、実際に商品を買うつもりでそのレストランやスポーツ店に立ち寄る人はほんのわずかである。
場合によっては、効率的な方法で局所的に広告する方がよい。
本発明はかかる方法を提供する。
【０００６】
本発明は駐車システムに関連する広告メッセージを送る方法に関する。この駐車システムでは移動電話を用いて駐車を開始しまた終了し、移動電話を介して駐車時間を開始しまた終了するとき、ユーザは関連の駐車ゾーンの識別を駐車システムに属する第１の受信コンピュータに送り、コンピュータは駐車ゾーンの識別と移動電話の番号を検出して記憶する。この方法は、ユーザが自分の移動電話を介して駐車システムのコンピュータに接続すると、駐車システムのコンピュータはその移動電話番号と、関連の駐車ゾーンの識別またはその駐車ゾーンを含む地理的区域の識別を、広告メッセージを記憶するメモリに接続する第２のコンピュータに送り、第２のコンピュータは前記地理的区域に関連する１つまたは複数の広告メッセージを移動電話に送ることを特徴とする。
【０００７】
本発明について添付の図面に示す本発明の例示の実施の形態を参照して詳細に説明する。
図１は、駐車システムに関連して広告メッセージを送る本発明を実施するための装置の略ブロック図である。
図に示すように、移動電話１を用いて駐車を開始しまた終了する。移動電話を介して駐車を開始しまた終了するとき、ユーザは対象の駐車ゾーンの識別を駐車システムに属する第１の受信コンピュータ２に送る。これは網運営者に属する基地局３により行われる。基地局３は呼を受信し、その呼を網運営者の交換センタすなわち切換えセンタ４に送信する。交換センタ４は呼を駐車システムのコンピュータ２に送る。コンピュータ２は、ユーザがダイヤルした電話番号を介して関連の駐車ゾーンの識別を得る。またコンピュータ２は移動電話の番号を検出して、この番号をコンピュータ２に記憶する。コンピュータ２はユーザ情報を記憶するデータベース５を含む。これは、駐車が行われて料金が支払われたことを確認するためのものである。
【０００８】
電話ユーザが移動電話を介してこのシステムに接続すると、本発明に係る駐車システムのコンピュータは、移動電話番号と、対象の駐車ゾーンの識別または駐車ゾーンを含む地理的区域の識別とを、広告メッセージを記憶するメモリ７に接続する第２のコンピュータ６に送る。ここで、第１のコンピュータ２は所定の駐車ゾーンを構築して所定の地理的区域を作成する。例えば、情報を第１のコンピュータ２から第２のコンピュータ６に送るとき、市または町の或る部分内の全ての駐車ゾーンを、地理的区域として市街区域と命名してよい。もちろん、他の方法で構築することも可能である。考え方として、車を囲む適度の大きさの地理的区域（すなわち局所的な広告に適した大きさと考えられる区域）で車の駐車位置を示すことである。
本発明では、この地理的区域に関係する１つまたは複数の広告メッセージが移動電話に送られる。
【０００９】
第１の好ましい実施の形態では、第２のコンピュータ６が電話番号と地理的区域の識別を受けると、第２のコンピュータ６は１つまたは複数の広告メッセージを第１のコンピュータ２に送る。そして、第１のコンピュータ２は関連する広告メッセージを移動電話に送る。
また第２の好ましい実施の形態では、第２のコンピュータ６が電話番号と地理的区域の識別を受けると、第２のコンピュータは網運営者を介して移動電話に直接発呼し、第２のコンピュータ６は１つまたは複数の広告メッセージを移動電話に送る。この呼は別個の呼でもよいし、前記第１のコンピュータ２を介して移動電話と第１のコンピュータの間で行われていた移動電話の呼を引き継いでもよい。
【００１０】
このように本発明では、移動電話を用いて駐車すると、発呼者はその駐車場から比較的近い地理的区域内にある全ての商店やガソリン・スタンドやレストランなどに関する広告を受信する。
この方法を用いると広告の浸透力が非常に大きくなる。なぜなら、駐車した人は例えば駐車場の近くにある種々のお勧め処を容易に迅速に利用することができるからである。
【００１１】
１つの実施の形態では、ユーザが移動電話を第１のコンピュータ２に接続したときに関連の広告メッセージがその移動電話に送られる。ユーザは駐車時間の開始または終了のときに広告メッセージを受信する。
別の実施の形態では、対象のコンピュータが前記移動電話に発呼したときに関連の広告メッセージが移動電話に送られる。電話ユーザが通常の方法で電話に答えると広告メッセージを受信する。
【００１２】
本発明の１つの実施の形態では、広告メッセージは可聴メッセージである。
本発明の別の実施の形態では、広告メッセージは移動電話ディスプレイ８上に表示されるメッセージ（いわゆるＳＭＳメッセージなど）である。
第２のコンピュータとその関連のデータベースは、駐車システムの運営者以外の会社、例えば広告会社が所有し運営してもよい。この場合は、広告会社は第１のコンピュータに接続した呼と車の地理的位置に関する情報を駐車場運営会社から購入してよい。広告会社はこれにより適当な広告メッセージを選択して、発呼した電話にこれらのメッセージを送る。
【００１３】
広告を聞くことに魅力を感じさせるために、電話ユーザが広告メッセージを全部聞いたときには、例えば駐車料金の一部を広告会社が支払う形で発呼者が駐車料金の割引きを受けるようにしてよい。かかる取引は、ユーザが駐車料金を課金される前に第１のコンピュータと第２のコンピュータの間で行う。
このように、本発明は相手が広告メッセージをより確実に受けるようにする方法を提供する。
【００１４】
いくつかの例示の実施の形態に関して本発明を説明したが、当業者が上記の方法を修正することが可能なことは明らかである。例えば、第１および第２のコンピュータを物理的に同じコンピュータ内に含んでよい。
特許請求の範囲内で種々の変更や修正を行うことができるので、本発明を上に説明した例示の実施の形態に限定して考えてはならない。
【図面の簡単な説明】
【図１】  本発明の方法を実施するシステムに含まれる装置の略ブロック図である。
【図１】
0004623913.tif 000002